(57)【要約】      （修正有）【課題】簡素な構造で多数の医療廃棄物を効率的に収納することができ、取り扱いも容易でかつ低廉な医療廃棄物回収用箱を提供する。【解決手段】本医療廃棄物回収用箱１は、側壁２と、該側壁２の上端辺部に連設され蓋部を構成する天面フラップ３と、側壁２の下端辺部に連設され底部を構成する底面フラップ４とを備えた箱本体５と、該箱本体５内に内蔵され箱本体４内を複数空間に区画する組仕切６とを有し、側壁２の内側に向かって圧縮可能であると共に箱状に復元可能に構成されている。【選択図】図１
0003169444.tif 000002
【実用新案登録請求の範囲】
【請求項１】
側壁と、該側壁の上端辺部に連設され蓋部を構成する天面フラップと、該側壁の下端辺部に連設され底部を構成する底面フラップとを備えた箱本体と、該箱本体内に内蔵され前記箱本体内を複数空間に区画する組仕切とを有し、前記側壁の内側に向かって圧縮可能であると共に箱状に復元可能に構成されていることを特徴とする医療廃棄物回収用箱。
【請求項２】
前記医療廃棄物回収用箱は、使用済みダイアライザーを回収するためのダイアライザー回収用箱である請求項１に記載の医療廃棄物回収用箱。
【請求項３】
前記医療廃棄物回収用箱は、段ボールにて形成されている請求項１または２に記載の医療廃棄物回収用箱。
【請求項４】
前記側壁は、対面を構成する二対の側壁部が交互に連設されて構成されており、一対の側壁部には持ち手挿入穴を介して一対の持ち手が取り付けられ、該一対の持ち手は前記組仕切に連結されて該組仕切を前記箱本体内にて保持している請求項１ないし３のいずれかに記載の医療廃棄物回収用箱。
【請求項５】
前記底面フラップは、複数の底面フラップからなり、前記医療廃棄物回収用箱の底部は、複数の前記底面フラップが重ね合わされて三重底に構成されている請求項１ないし４のいずれかに記載の医療廃棄物回収用箱。
【考案の詳細な説明】
【技術分野】
【０００１】
本考案は、例えば使用済みダイアライザー（血液透析器具）などの医療廃棄物を回収する際に使用して好適な医療廃棄物回収用箱に関する。
【背景技術】
【０００２】
従来より、使用済みダイアライザー（血液透析器具）や注射管など血液や体液が漏れる可能性がある医療廃棄物（感染性廃棄物）は、取扱者に血液等が付着して感染するおそれがあることから、堅牢で高価な医療廃棄物容器に収納され回収されていた。例えばそのようなものとして特開２００６−１５１６５９号公報の医療廃棄物用処理容器などがある。
【０００３】
しかし、近年、回路切断機などを使用することで、医療廃棄物を液漏れのおそれがない状態で廃棄する技術が開発され、それに伴って、簡素な構造で多数の医療廃棄物を効率的に収納することができ、取り扱いも容易でかつ低廉な医療廃棄物容器が嘱望されている。
【先行技術文献】
【特許文献】
【０００４】
【特許文献１】特開２００６−１５１６５９号公報
【考案の概要】
【考案が解決しようとする課題】
【０００５】
そこで、本考案の課題は、簡素な構造で多数の医療廃棄物を効率的に収納することができ、取り扱いも容易でかつ低廉な医療廃棄物回収用箱を提供することにある。
【課題を解決するための手段】
【０００６】
上記課題を解決するものは、側壁と、該側壁の上端辺部に連設され蓋部を構成する天面フラップと、該側壁の下端辺部に連設され底部を構成する底面フラップとを備えた箱本体と、該箱本体内に内蔵され前記箱本体内を複数空間に区画する組仕切とを有し、前記側壁の内側に向かって圧縮可能であると共に箱状に復元可能に構成されていることを特徴とする医療廃棄物回収用箱である。
【０００７】
前記医療廃棄物回収用箱は、使用済みダイアライザーを回収するためのダイアライザー回収用箱であることが好ましい。前記医療廃棄物回収用箱は、段ボールにて形成されていることが好ましい。前記側壁は、対面を構成する二対の側壁部が交互に連設されて構成されており、一対の側壁部には持ち手挿入穴を介して一対の持ち手が取り付けられ、該一対の持ち手は前記組仕切に連結されて該組仕切を前記箱本体内にて保持していることが好ましい。前記底面フラップは、複数の底面フラップからなり、前記医療廃棄物回収用箱の底部は、複数の前記底面フラップが重ね合わされて三重底に構成されていることが好ましい。
【考案の効果】
【０００８】
請求項１に記載した考案によれば、簡素な構造で多数の医療廃棄物を効率的に収納することができ、取り扱いも容易でかつ低廉な医療廃棄物回収用箱となる。
請求項２に記載した考案によれば、簡素な構造で多数のダイアライザーを効率的に収納することができ、取り扱いも容易でかつ低廉な医療廃棄物回収用箱となる。
請求項３に記載した考案によれば、強度性に優れた医療廃棄物回収用箱をより低廉に作製できる。
請求項４に記載した考案によれば、一対の持ち手を把持することで医療廃棄物回収用箱の運搬が容易になると共に、箱本体内への組仕切の固定が不要となって組立が容易になる。また、組仕切が箱本体に固定されていないため、箱状への復元がよりスムースとなる。さらに、持ち手を取り付ける際の側壁内側からの補強板の取り付けも不要となる。
請求項５に記載した考案によれば、箱本体底部の構造が頑丈なものとなり底抜けが防止される。
【図面の簡単な説明】
【０００９】
【図１】本発明の医療廃棄物回収用箱の一実施例の斜視図である。
【図２】図１に示した医療廃棄物回収用箱の組仕切の内蔵状態を説明するための斜視図である。
【図３】図１に示した医療廃棄物回収用箱の箱本体の展開図である。
【図４】図１に示した医療廃棄物回収用箱の箱本体の組立方法を説明するための斜視図である。
【図５】図１に示した医療廃棄物回収用箱の組仕切を構成する環状部材の展開図である。
【図６】図１に示した医療廃棄物回収用箱の組仕切の組立方法を説明するための斜視図である。
【図７】図１に示した医療廃棄物回収用箱の組仕切の組立方法を説明するための斜視図である。
【図８】図１に示した医療廃棄物回収用箱の組仕切の内蔵方法を説明するための斜視図である。
【図９】図１に示した医療廃棄物回収用箱の使用方法を説明するための平面図である。
【図１０】図１に示した医療廃棄物回収用箱の使用方法を説明するための斜視図である。
【図１１】図１に示した医療廃棄物回収用箱の使用方法を説明するための斜視図である。
【考案を実施するための形態】
【００１０】
本考案は、側壁２と、蓋部を構成する天面フラップ３と、底部を構成する底面フラップ４とを備えた箱本体５と、箱本体５内に内蔵され箱本体５内を複数空間に区画する組仕切６とを有し、側壁２の内側に向かって圧縮可能かつ箱状に復元可能に構成されていることにより、簡素な構造で多数の医療廃棄物を効率的に収納することができ、取り扱いも容易でかつ低廉な医療廃棄物回収用箱１を実現した。
【実施例１】
【００１１】
本考案の医療廃棄物回収用箱を図１ないし図１１に示した一実施例を用いて説明する。
この実施例の医療廃棄物回収用箱１は、図１に示すように、側壁２と、側壁２の上端辺部に連設され蓋部を構成する天面フラップ３と、側壁２の下端辺部に連設され底部を構成する底面フラップ４とを備えた箱本体５と、箱本体５内に内蔵され箱本体４内を複数空間に区画する組仕切６とを有し、側壁２の内側に向かって圧縮可能であると共に箱状に復元可能に構成されている。以下、各構成について順次詳述する。
【００１２】
この実施例の医療廃棄物回収用箱１は、使用済みダイアライザーを回収するためのダイアライザー回収用箱であり、回路切断機を使用して液漏れのおそれがない状態にした長尺状のダイアライザーを、箱本体５内の組仕切６によって区画された複数空間にそれぞれ起立させた状態で収納して使用するものである。
【００１３】
側壁２は、図３に示すように、対面（対向する面）を構成する二対の側壁部２ａ，２ｂ，２ｃ，２ｄが交互に連設されて構成されている。そして、図４に示すように、側壁部２ａ，２ｂ，２ｃ，２ｄ間の境界線（折れ線）に沿ってそれぞれ直角に屈曲することにより、側壁部２ａと側壁部２ｂが対面を構成し，側壁部２ｃと側壁部２ｄが対面を構成する。側壁部２ｄの側端辺部には、図３に示すように、継ぎしろ２ｅが連設されており、この継ぎしろ２ｅの表面側を側壁部２ａの裏面に固着することにより、四面の立面部からなる側壁２が構成されている。
【００１４】
側壁２の上端辺部には、図３に示すように、天面フラップ３ａ，３ｂ，３ｃが連設されている。具体的には、側壁部２ａの上端辺部には天面フラップ３ａが連設され、側壁部２ｂの上端辺部には天面フラップ３ｂが連設され、側壁部２ｄの上端辺部には天面フラップ３ｃが連設されている。
【００１５】
天面フラップ３ｃは、箱本体５の上面と略同一の矩形平面を有しており、天面フラップ３ｃの上端辺部には差し込み３ｄが連設され、天面フラップ３ｃと差し込み３ｄとの境界線（折れ線）中央付近には、差し込み穴３ｅが形成されている。
【００１６】
そして、図４に示した状態で天面フラップ３ａ，３ｂを内側に屈曲させ、その後、天面フラップ３ｃを内側に屈曲させ、差し込み３ｄを内側に屈曲させて側壁部２ｃの裏面側に差し込む。さらに、係止片３ｆを差し込み穴３ｅに挿入すると、天面フラップ３ａ，３ｂ，３ｃにより蓋部が構成され、箱本体５の上面が封止されるように構成されている。
【００１７】
他方、側壁２の下端辺部には、図３に示すように、底面フラップ４ａ，４ｂ，４ｃ，４ｄが連設されている。具体的には、側壁部２ａの下端辺部には底面フラップ４ａが連設され、側壁部２ｂの下端辺部には底面フラップ４ｂが連設され、側壁部２ｃの下端辺部には底面フラップ４ｃが連設され、側壁部２ｂの下端辺部には底面フラップ４ｄが連設されている。
【００１８】
底面フラップ４ｃは、箱本体５の底面と略同一の矩形平面を有しており、底面フラップ４ｃの下端辺部には差し込み４ｅが連設され、底面フラップ４ｃの上端辺部には差し込み穴４ｈと係止片４ｊが形成されている。
【００１９】
底面フラップ４ｄも、箱本体５の底面と略同一の矩形平面を有しており、底面フラップ４ｄの下端辺部には差し込み小片４ｆが設けられると共に、底面フラップ４ｄと差し込み小片４ｆとの境界線（折れ線）中央付近には、差し込み穴４ｇが形成されている。
【００２０】
そして、図４に示した状態で底面フラップ４ａ，４ｂを内側に屈曲させ、つぎに、底面フラップ４ｃを内側に屈曲させ、差し込み４ｅをさらに内側に屈曲させて側壁部２ｄの裏面側に差し込む。つぎに、底面フラップ４ｄを内側に屈曲させ、差し込み小片４ｆを差し込み穴４ｈに差し込む。最後に、係止片４ｊを差し込み穴４ｇに挿入すると、底面フラップ４ａ，４ｂ，４ｃ，４ｄにより底部が構成される。
【００２１】
なお、底面フラップ４ｃ，４ｄは、箱本体５の底面と略同一の矩形平面を有しており、底面フラップ４ａ，４ｂは、２枚が隣接すると箱本体５の底面と略同一の矩形平面を構成することから、医療廃棄物回収用箱１の底部は、底面フラップ４ａ，４ｂ，４ｃ，４ｄが重ね合わされて三重底を構成する。これにより、箱本体底部の構造が頑丈なものとなり底抜けが防止されるよう構成されている。
【００２２】
また、医療廃棄物回収用箱１は、上下に差し込み蓋（３ｃ，４ｃ，４ｄ）を備えたサック箱に構成されており、これにより、回収した使用済みダイアライザーをより確実に梱包できるように構成されている。
【００２３】
組仕切６は、箱本体５内を複数空間に区画するためのものであり、図２に示すように、箱本体５内に内蔵配置されている。
【００２４】
組仕切６は、図６に示した環状部材７に、図７に示した仕切板８を複数組み付けて構成されている。具体的には、環状部材７には、図５に示すように、平面視矩形の段ボールの上端部から中間部にかけて複数のスリット９が設けられており、このスリット９に仕切板８が差し込まれることにより組み付けられるように構成されている。
【００２５】
また、環状部材７には、４本の折り曲げ線１０ａ，１０ｂ，１０ｃ，１０ｄが縦方向に形成されており、折り曲げ線１０ａ，１０ｂの両側、および折り曲げ線１０ｃ，１０ｄの両側には、持ち手取付穴１１ａ，１１ｂ，１１ｃ，１１ｄを備えた突出片１２ａ，１２ｂ，１２ｃ，１２ｄがそれぞれ形成されている。
【００２６】
そして、折り曲げ線１０ａ，１０ｂ，１０ｃ，１０ｄに沿ってそれぞれ内側に向かって直角に屈曲させ、端辺部同士を固着すると、図６に示した四角筒状体が形成され、四隅角部の上部付近には突出片１２ａ，１２ｂ，１２ｃ，１２ｄがそれぞれ延出する。この状態の環状部材７に、図７に示したように、仕切板８を上方から複数差し込むと、複数の収納空間に区画されたスリーブ状の組仕切６が構成される。なお、仕切板８の中間部から下端部にかけてスリット１３が設けられているため、仕切板８は環状部材７のスリット９と相俟って、環状部材７の下端部まで差し込まれるように構成されている。
【００２７】
一対の対向する側壁部２ａ，２ｂには、図３に示すように、水平方向に離間して設けられた２つの穴からなる持ち手挿入穴１４ａ，１４ｂがそれぞれ設けられている。そして、図８に示すように、これら持ち手挿入穴１４ａ，１４ｂに、一対の樹脂製持ち手１５ａ，１５ｂの端部が挿入され、さらに、一対の樹脂製持ち手１５ａ，１５ｂの両端部がそれぞれ組仕切６の持ち手取付穴１１ａ，１１ｂ，１１ｃ，１１ｄに連結されることにより、一対の樹脂製持ち手１５ａ，１５ｂが両側から組仕切６を箱本体５内にて保持している。これにより、一対の樹脂製持ち手１５ａ，１５ｂを把持することで医療廃棄物回収用箱１の運搬が容易になると共に、箱本体５内への組仕切６の固定が不要となって組立がより容易になる。また、組仕切６が箱本体５に固定されていないため、箱状への復元がよりスムースなものとなる。さらに、持ち手を取り付ける際の側壁内側からの補強板の取り付けも不要となる。
【００２８】
上記構造を備えた医療廃棄物回収用箱１は、側壁２の内側に向かって圧縮可能であると共に、箱状に復元可能に構成されている。具体的には、図９に示すように、箱本体５が組仕切６を内蔵した状態で、対向する側壁または角部を押圧することにより平板状に圧縮可能であり、コンパクトに畳むことができる。他方、ダイアライザーを収納する場合は、対向する側壁または角部を押圧し、さらに底部フラップ４にて底部を構成することで、図１０に示すように、容易に箱状に復元することができる。この時、畳まれた組仕切６も同時に格子状に復元して箱本体５内部に複数に区画された収納空間が構成される。
【００２９】
このように、本考案の医療廃棄物回収用箱１は、簡素な構造で区画されたスペース内に多数のダイアライザーを効率的に収納することができると共に、取り扱いが容易であり、かつ段ボールにて形成されているため低廉に作製できる。
【００３０】
なお、本考案の医療廃棄物回収用箱１は紙製段ボールにて箱本体５および組仕切６が形成されているが、プラスチック製段ボールにて形成されたものも本考案の範疇に包含される。また、本考案の医療廃棄物回収用箱１は段ボールにて形成されたものに限定されるものではなく、例えば厚紙または段ボール以外の板紙にて形成されたものも本考案の範疇に包含される。さらに、本考案の医療廃棄物回収用箱１は一回の使用で廃棄されるものであるが、繰り返し使用されるものも本考案の範疇に包含される。
【００３１】
つぎに、本考案の医療廃棄物回収用箱１の使用方法について説明する。
医療廃棄物回収用箱１は、図９に示した畳まれた状態で医療施設等で保管する。使用済みダイアライザーを順次収納する場合には、図１０に示すように、箱状に復元させ底部を構成して蓋部は構成せず開放した状態とする。この状態で、回路切断機を使用して液漏れのおそれがない状態とした使用済みダイアライザーを、順次組仕切６によって区画されたスペースに起立状態で収納していく。全てのスペースに使用済みダイアライザーが収納されたら、図１１に示すように、天面フラップ３にて蓋部を構成し、樹脂製持ち手１５を把持して運搬し廃棄処分とする。
【符号の説明】
【００３２】
１    医療廃棄物回収用箱
２    側壁
３    天面フラップ
４    底面フラップ
５    箱本体
６    組仕切
７    環状部材
８    仕切板
９    スリット
１０  折り曲げ線
１１  持ち手取付穴
１２  突出片
１３  スリット
１４  持ち手挿入穴
１５  持ち手
【図１】
0003169444.tif 000003
【図２】
0003169444.tif 000004
【図３】
0003169444.tif 000005
【図４】
0003169444.tif 000006
【図５】
0003169444.tif 000007
【図６】
0003169444.tif 000008
【図７】
0003169444.tif 000009
【図８】
0003169444.tif 000010
【図９】
0003169444.tif 000011
【図１０】
0003169444.tif 000012
【図１１】
0003169444.tif 000013